(57)【要約】【課題】  ２つの通路のそれぞれの通行方向を自由に設定することが可能な通路の屈曲構造を提供する。【解決手段】  通路の屈曲構造１００は、全体が半円形状を成し、第一のスロープ３１の一端面に接する平行面１１とその反対側に形成された曲面１２とを有する第一の踏み板１、及び曲面１２に接する凹面２１と第二のスロープ３２に接する平行面２２を有して第一の踏み板１と第二のスロープ３２との間に配設される第二の踏み板２を備える。第一のスロープ３１と第二のスロープ３２との通行方向は異なり、その両者間の方向角度の差を第一の踏み板１に対する第二の踏み板２の取り付け位置によって解消し、第一のスロープ３１と第二のスロープ３２との間の通行方向の角度を左右方向の９０°以外の任意の方向に設定できるようにした。【選択図】  図１
2012046869.tif 000002
【特許請求の範囲】
【請求項１】
第一の通路の一端面に突き合わされる平行面及び該平行面より膨出する円弧状の曲面を有し、且つ、上面が平坦とされた第一の踏み板と、
前記第一の踏み板の円弧状の前記曲面に合致する凹面を片側に有すると共に、他方の側に前記第一の通路とは通行方向が異なる第二の通路の一端面に突き合わされる平行面を有し、且つ、上面が平坦とされ、前記第一の踏み板と前記第二の通路との間に配設される第二の踏み板と、
を備えてなることを特徴とする通路の屈曲構造。
【請求項２】
請求項１に記載の通路の屈曲構造において、
前記第一の通路及び前記第二の通路は、それぞれが傾斜面を有するスロープ又は階段であることを特徴とする通路の屈曲構造。
【請求項３】
請求項１又は２に記載の通路の屈曲構造において、
前記第一の踏み板の前記曲面は、多角形状とされ、
前記第二の踏み板の前記凹面は、前記第一の踏み板の多角形状の前記曲面に合致する多角形状に形成された
ことを特徴とする通路の屈曲構造。
【請求項４】
請求項１から３のいずれか１項に記載の通路の屈曲構造において、
前記第一の踏み板及び前記第二の踏み板は、いずれか一方の上面が他方の踏み板の上面の一部に重なるように張り出し、その重なり部分においてボルトにより前記第一の踏み板と前記第二の踏み板とが結合されるようにしたことを特徴とする通路の屈曲構造。
【請求項５】
請求項１又は２に記載の通路の屈曲構造において、
前記第一の踏み板と前記第二の踏み板とのそれぞれの対向する面の少なくとも一方にＣ字形の断面形状を有するガイド溝を設け、該ガイド溝にジョイントナットを嵌入し、前記ガイド溝に対向する踏み板を通してボルトを前記ジョイントナットに螺着することによって前記第一の踏み板と前記第二の踏み板とを結合するようにしたことを特徴とする通路の屈曲構造。
【請求項６】
通行方向が互いに異なる第一の通路と第二の通路との間に水平に配置される円形状で、且つ、上面が平坦な第一の踏み板と、
前記第一の通路の一端面に突き合わされる平行面及び前記第一の踏み板の曲面の一部に合致する凹面を有し、且つ、上面が平坦とされ、前記第一の通路と前記第一の踏み板との間に設けられる第二の踏み板と、
前記第一の踏み板の曲面の一部に合致する凹面及び前記第二の通路の一端面に突き合わされる平行面を有し、且つ、上面が平坦とされ、前記第一の踏み板と前記第二の通路との間に設けられる第三の踏み板と、
を備えてなることを特徴とする通路の屈曲構造。
【請求項７】
請求項６に記載の通路の屈曲構造において、
前記第一の通路及び前記第二の通路は、それぞれが傾斜面を有するスロープ又は階段であることを特徴とする通路の屈曲構造。
【請求項８】
請求項７に記載の通路の屈曲構造において、
前記第一の踏み板は、周面が多角形状に形成されると共に、
前記第二の踏み板及び前記第三の踏み板は、前記凹面が多角形状とされた前記第一の踏み板の前記周面に合致する形状に形成されたことを特徴とする通路の屈曲構造。
【請求項９】
請求項６又は７に記載の通路の屈曲構造において、
前記第一の踏み板と、前記第二の踏み板又は前記第三の踏み板とが相互に対向する面の少なくとも一方にＣ字形の断面形状を有するガイド溝を設け、該ガイド溝にジョイントナットを嵌入し、前記ガイド溝に対向する踏み板を通してボルトを前記ジョイントナットに螺着することによって前記第一の踏み板と前記第二の踏み板とを結合するようにしたことを特徴とする通路の屈曲構造。
【発明の詳細な説明】
【技術分野】
【０００１】
本発明は、通路の屈曲構造に関し、特に、後付けにより設置されるスロープや階段等の通路に連結されて踊り場等を形成すると共に次の通行域への通行方向を任意の方向に設定することができる通路の屈曲構造に関する。
【背景技術】
【０００２】
近年、介護の重要性及びその認識の高まりから、さまざまな介護用品の提案及び提供がなされている。例えば、特許文献１には、和室と洋室との段差を解消する段差解消スロープが開示されており、この段差解消スロープは床面に接する底面部、段差に接する垂直部及び底面部と垂直部との間に位置する傾斜部を有し、ゴムや合成樹脂によって作られている。このような段差解消スロープにあって、そのコーナ部や終端部にはエンドカバーが設けられている。このエンドカバーは上面から見て円形や円形を２分割、４分割等にした形状を有し、側面から見ると直角三角形の形状を有している。
【０００３】
また、特許文献２には、車椅子などによる住宅や建物からの出入りを容易にするために、住宅や建物の出入り口等に後から設置されるユニット式のスロープが開示されている。このスロープは、概略として、床部と、この床部を支持する複数の脚部と、床部から立設された手摺材部とを有する構成であり、床部は、窓などの出入り口の下部とほぼ同一高さに水平床面を形成するための水平床部と、床面を水平から下方に向けて傾斜させるためのスロープ床部とを有している。上記複数の脚部のそれぞれは、水平床部の高さの調整、又はスロープ床部の傾斜角度の調整を行うための伸縮可能なアジャスタ部を有している。
【０００４】
上述したようなスロープは、ユニットを一段で使用する場合もあるが、段差の高さに応じて複数のユニットを用いた場合、地形等に応じて図１１（ａ）に示すようにユニット１０１、踊り場１０２及びユニット１０３をＬ字形に配置にしたり、図１０（ｂ）に示すようにユニット１０１、踊り場１０２及びユニット１０３をＵ字形に配置にしたり、或いは、途中に踊り場を設けて直線状に配置してスロープ２００を構成している。
【先行技術文献】
【特許文献】
【０００５】
【特許文献１】特開２００４−２６３４０３号公報
【特許文献２】特開２００５−３２０８２６号公報
【発明の概要】
【発明が解決しようとする課題】
【０００６】
しかしながら、上述した従来のスロープは、複数のユニットを連結した場合、直進に対して通路の方向を変更する踊り場等の屈曲部が四角形であり、したがって通路の角度を変更する場合には左右方向に９０°に限定される。このため、例えば、３０°、４５°等の任意の角度で通路の角度を変更することはできないという問題があった。
【０００７】
そこで、本発明は、かかる問題点に鑑みなされたもので、通路の角度を９０°或いは１８０°に限定されることなく、２つの通路の折り曲げ角度を自由に設定することが可能な通路の屈曲構造を提供することを目的とする。
【課題を解決するための手段】
【０００８】
上記課題を解決するために請求項１に記載の発明は、第一の通路の一端面に突き合わされる平行面及び該平行面より膨出する円弧状の曲面を有し、且つ、上面が平坦とされた第一の踏み板と、第一の踏み板の円弧状の曲面に合致する凹面を片側に有すると共に、他方の側に第一の通路とは通行方向が異なる第二の通路の一端面に突き合わされる平行面を有し、且つ、上面が平坦とされ、第一の踏み板と第二の通路との間に配設される第二の踏み板とを備えてなることを特徴とする。
【０００９】
上記課題を解決するために請求項２に記載の本発明は、請求項１に記載の通路の屈曲構造において、第一の通路及び前記第二の通路は、それぞれが傾斜面を有するスロープ又は階段であることを特徴とする。
【００１０】
上記課題を解決するために請求項３に記載の本発明は、請求項１又は２に記載の通路の屈曲構造において、第一の踏み板の前記曲面は、多角形状とされ、第二の踏み板の凹面は、第一の踏み板の多角形状の曲面に合致する多角形状に形成されたことを特徴とする。
【００１１】
上記課題を解決するために請求項４に記載の本発明は、請求項１から３のいずれか１項に記載の通路の屈曲構造において、第一の踏み板及び第二の踏み板は、いずれか一方の上面が他方の踏み板の上面の一部に重なるように張り出し、その重なり部分においてボルトにより第一の踏み板と第二の踏み板とが結合されるようにしたことを特徴とする。
【００１２】
上記課題を解決するために請求項５に記載の本発明は、請求項１又は２に記載の通路の屈曲構造において、第一の踏み板と第二の踏み板とのそれぞれの対向する面の少なくとも一方にＣ字形の断面形状を有するガイド溝を設け、該ガイド溝にジョイントナットを嵌入し、ガイド溝に対向する踏み板を通してボルトをジョイントナットに螺着することによって第一の踏み板と第二の踏み板とを結合するようにしたことを特徴とする。
【００１３】
上記課題を解決するために請求項６に記載の本発明は、通行方向が互いに異なる第一の通路と第二の通路との間に水平に配置される円形状で、且つ、上面が平坦な第一の踏み板と、第一の通路の一端面に突き合わされる平行面及び第一の踏み板の曲面の一部に合致する凹面を有し、且つ、上面が平坦とされ、第一の通路と第一の踏み板との間に設けられる第二の踏み板と、第一の踏み板の曲面の一部に合致する凹面及び第二の通路の一端面に突き合わされる平行面を有し、且つ、上面が平坦とされ、第一の踏み板と第二の通路との間に設けられる第三の踏み板とを備えてなることを特徴とする。
【００１４】
上記課題を解決するために請求項７に記載の本発明は、請求項６に記載の通路の屈曲構造において、第一の通路及び第二の通路は、それぞれが傾斜面を有するスロープ又は階段であることを特徴とする。
【００１５】
上記課題を解決するために請求項８に記載の本発明は、請求項７に記載の通路の屈曲構造において、第一の踏み板は、周面が多角形状に形成されると共に、第二の踏み板及び第三の踏み板は、凹面が多角形状とされた第一の踏み板の周面に合致する形状に形成されたことを特徴とする。
【００１６】
上記課題を解決するために請求項９に記載の本発明は、請求項６又は７に記載の通路の屈曲構造において、第一の踏み板と、第二の踏み板又は第三の踏み板とが相互に対向する面の少なくとも一方にＣ字形の断面形状を有するガイド溝を設け、該ガイド溝にジョイントナットを嵌入し、ガイド溝に対向する踏み板を通してボルトをジョイントナットに螺着することによって第一の踏み板と第二の踏み板とを結合するようにしたことを特徴とする。
【発明の効果】
【００１７】
本発明に係る通路の屈曲構造によれば、２つの通路のそれぞれの連結方向を９０°に限定されることなく任意の方向に設置することができるという効果がある。
【図面の簡単な説明】
【００１８】
【図１】本発明に係る通路の屈曲構造の第一の実施形態を示す斜視図である。
【図２】図１に示す通路の屈曲構造の分解斜視図である。
【図３】図２に示す第一の踏み板の平面図及びＡ−Ａ線の断面図である。
【図４】図２に示す第二の踏み板の平面図及びＢ−Ｂ線の断面図である。
【図５】本発明に係る通路の屈曲構造の第一の実施形態の使用例を説明する図である。
【図６】本発明に係る通路の屈曲構造の第二の実施形態を示す斜視図である。
【図７】本発明に係る通路の屈曲構造の第二の実施形態の使用例を説明する図である。
【図８】本発明に係る通路の屈曲構造の第三の実施形態を示す平面図である。
【図９】本発明に係る通路の屈曲構造の第四の実施形態を示す平面図である。
【図１０】本発明に係る通路の屈曲構造の第五の実施形態を示す斜視図である。
【図１１】従来のスロープの構成を示す斜視図である。
【発明を実施するための形態】
【００１９】
１．第一の実施形態
以下、本発明に係る通路の屈曲構造について、好ましい一実施形態に基づいて詳細に説明する。図１は本発明に係る通路の屈曲構造の第一の実施形態を示す斜視図、図２は第一の踏み板との分解斜視図である。この通路の屈曲構造１００は、概略として、第一のスロープ（第一の通路）３１の端面に連結される全体が半円状を成した第一の踏み板１と、この第一の踏み板１の半円形状に合致する側面を一部に有して第一の踏み板１に連結されると共に他の側面が第二のスロープ（第二の通路）３２の端面に合致する形状を有した第二の踏み板２とを備えて構成されている。第二のスロープ３２は、第一のスロープ３１に対して任意の角度（通行方向）、例えば、３０°、４５°、６０°等の角度で連結されている。
【００２０】
図３（ａ）は図２に示す第一の踏み板の平面図であり、図３（ｂ）は図３（ａ）のＡ−Ａ線の断面図である。図示されているように、第一の踏み板１は、概略として、第一のスロープ３１の端面に突き合わせられる平行面１１と、上方から見て半円形に膨出する曲面１２とを有している。第一の踏み板１は、例えば、ステンレス、アルミニウム等の金属板によって作製されているが、材質は金属製に限るものではなく、木製材料によっても製作することは可能である。また、平行面１１及び曲面１２は、第一の踏み板１の上面から下側へ向かって折り曲げられた屈曲片１３が設けられている。さらに、曲面１２の近傍の第一の踏み板１の上面には、曲面１２に沿って所定間隔に複数の雌ねじ部１４が設けられている。ここで、第一の踏み板１の寸法の一例を示すと、曲面１２の半径が５３９ｍｍ、幅が１，０２７ｍｍ、奥行きが３７９ｍｍ、高さが４２ｍｍである。
【００２１】
また、図４（ａ）は図２に示す第二の踏み板の平面図であり、図４（ｂ）は図４（ａ）のＢ−Ｂ線の断面図である。第二の踏み板２は、図２及び図４に示すように、概略として、第一の踏み板１の曲面１２の形状に合致する凹面２１と、第二のスロープ３２の一端面に突き合わせられる平行面２２とを有し、さらに、平行面２２及び第二の踏み板２の両側には第二の踏み板２の上面から下側へ向かって折り曲げられた屈曲片２３が設けられている。また、凹面２１の近傍の第二の踏み板２の上面には、雌ねじ部１４に合致するようにして複数のネジ孔２４が凹面２１に沿って設けられている。図示されたネジ孔２４は使用されるネジの太さに合わせた直径の孔とされているが、ネジ孔２４を凹面２１に合わせて円弧状に穿設することもできる。これにより第一の踏み板１に対して第二の踏み板２を自由な角度で取り付けることが可能となる。また、第一の踏み板１の曲面１２に凹面２１の突出した先端部を重ねてネジ止めすることで両者を連結するようになっているが、その際、凹面２１の突出した先端部が重ねられる第一の踏み板１の上面を凹面２１の突出した先端部の厚み分だけ低く形成することにより段差を生じさせることなく両者を連結することができる。尚、第二の踏み板２は、第一の踏み板１と同様に、ステンレス、アルミニウム等の金属板によって作製されているが、材質は金属製に限るものではなく、木製材料によっても製作することは可能である。第二の踏み板２の寸法例を示せば、凹面２１の内径が５６１ｍｍ、幅が８８０ｍｍ、奥行きが３７０ｍｍ、高さが４２ｍｍである。第二の踏み板２の凹面２１の内周長は、第一の踏み板１の曲面１２の外周長に対して短くされている。そのため、第二の踏み板２は、後述するように第一の踏み板１に対して異なる位置（角度）に取り付けることができるようになっている。尚、第二の踏み板２の凹面２１の内周長を短くすればするほど第二のスロープ３２の設置角度をより大きな角度で第一のスロープ３１に連結することが可能となる。
【００２２】
次に、上述した通路の屈曲構造１００の設置方法について図５を参照して説明する。まず、第一の踏み板１の平行面１１を第一のスロープ３１の端面に適宜の方法で固定する。次に、第一の踏み板１の曲面１２に第二の踏み板２の凹面２１を当接させて回動させながら、第一の踏み板１に対して好ましい設置角度となるように第二の踏み板２の位置決めを行う。上述したように、凹面２１の内周長は曲面１２の外周長よりも短いため、第二の踏み板２は、図５に示すように、その取付位置を曲面１２に対して角度θの範囲で自由に選択することができ、例えば、図示の（i）〜（iii）の間では任意の角度を選択することが可能である。ここで、第一の踏み板１と第二の踏み板２との結合は、曲面１２に凹面２１の突出した先端部を重ね、第一の踏み板１に設けられた雌ねじ部１４及び第二の踏み板２に設けられたネジ孔２４とを合致させ、図示しないビスをネジ孔２４に通して雌ねじ部１４にネジ止めすることによって行われる。勿論、他の接続具等を用いて両者を結合してもよい。尚、第二のスロープ３２は、第一の踏み板１及び第二の踏み板２を取り付けた後に設置してもよい。
【００２３】
第一の実施形態に係る通路の屈曲構造によれば、第一の踏み板１と第二の踏み板２の取り付け角度を図５の（i）〜（iii）の配置に示すように任意に選択できるため、第一のスロープ３１と第二のスロープ３２の角度を９０°以外の適宜の角度で連結することができると共に、取り付けた後においても角度を容易に変更することができるという効果がある。
【００２４】
２．第二の実施形態
図６は本発明に係る通路の屈曲構造の第二の実施形態を示す斜視図である。本実施形態は、第一の実施形態において、半円形状を成していた第一の踏み板１に代えて円形の踏み板３を第一の踏み板とし、さらに、第二の踏み板２と同様の形状の踏み板４，５を第二，第三の踏み板としたものであり、その他の構成は第一の実施形態と基本的に同様である。尚、踏み板４，５は、図６の配置に限定されるものではなく、第一，第二のスロープ３１，３２の配置に応じて変更できることは言うまでもない。
【００２５】
図７は第二の実施形態の通路の屈曲構造の使用例を説明する図である。図７においては、第二のスロープ３２側の踏み板５の配置を変更する場合を示している。まず、踏み板４が第一のスロープ３１の端部に当接するようにして設置される。次に、踏み板４に突き合わせるようにして踏み板３が設置され、さらに、踏み板３に突き合わせるようにして踏み板５が設置される。この踏み板５は、例えば、（iv）〜（vi）のような配置を選択することもできる。あるいは、図示とは反対方向に設置することもできる。さらに、踏み板５と同様の配置が踏み板４においても行え、踏み板５に重ならない範囲で自由に選択することができる。
【００２６】
尚、踏み板４，５の凹面の長さを相対的に短くすれば、第一のスロープ３１と第二のスロープ３２との間の中心（路軸）の角度を左右９０°よりも小さくすることも可能である。
【００２７】
第二の実施形態に係る通路の屈曲構造によれば、第一の踏み板を円形の踏み板３にしたことで、第一のスロープ３１の通行方向に対して第二のスロープ３２の通行方向を左又は右の９０°方向にする組み合わせにも対応することができるという効果がある。その他、第一の実施形態と同様の効果を得ることができる。
【００２８】
３．第三の実施形態
図８は本発明に係る通路の屈曲構造の第三の実施形態を示す斜視図である。本実施形態は、第一の実施形態において、第一の踏み板１の曲面１２の形状を半円形状から多角形状の曲面６１を有する踏み板６にし、第二の踏み板２に代えて曲面６１の形状に合致する凹面７１を有する踏み板７にしたものであり、その他の構成は第一の実施形態と同様である。尚、図８においてはスロープの図示を省略している。また、使用方法は図５で説明した第一の実施形態と同様であるので説明を省略する。更に、本実施形態によって得られる効果も第一の実施形態と同様であるので説明を省略する。
【００２９】
４．第四の実施形態
図９は本発明に係る通路の屈曲構造の第四の実施形態を示す斜視図である。本実施形態は、第二の実施形態において、円形の第一の踏み板３に代えて多角形の曲面６１を全周に有する踏み板（第一の踏み板）８を用い、第二の踏み板４に代えて多角形状の凹面１５を有する踏み板（第二の踏み板）９を用い、第三の踏み板５に代えて内面が多角形の凹面１６を有する踏み板（第三の踏み板）１０を用いたものであり、その他の構成は第一の実施形態と同様である。また、使用方法も図７で説明した第二の実施形態と同様であるので説明を省略する。更に、本実施形態によって得られる効果も第二の実施形態と同様である。
【００３０】
なお、上記第三及び第四の実施形態において、曲面６１、凹面１５，１６の多角形の角数を多くすることにより、踏み板６，８に対する踏み板７，９，１０の設定角度を小さくすることができる。
【００３１】
５．第五の実施形態
図１０は第五の実施形態を示す斜視図である。本実施形態は、上記第一の実施形態及び第二の実施形態において、第一の踏み板１と第二の踏み板２との結合（連結）さらに踏み板３と踏み板４，５との結合（連結）をジョイントナット１７及びボルト１８によって行うようにしたものであり、その他の構成は第一の実施形態と同様である。尚、踏み板１〜５の上面には図示しない天板が装着される。図１０においては踏み板の一部のみを示し、全体の図示を省略している。また、第一の踏み板１及び第二の踏み板２の上方から見た全体の形状は図２の如くである。ジョイントナット１７は、長板状で、且つ、凹面２１に合致した曲面を有し、その中心部にはボルト１８がねじ込まれる雌ねじ部１７０が設けられている。
【００３２】
第二の踏み板２には、嵌入されたジョイントナット１７を位置決めし且つその位置で保持できるように、Ｃ字形の断面形状を有する２つのガイド溝１９Ａ，１９Ｂが円周方向に平行に設けられている。また，第一の踏み板１には、ガイド溝１９Ａ，１９Ｂと同様の構造を成したガイド溝２０Ａ，２０Ｂがガイド溝１９Ａ，１９Ｂに対向させて円周方向に平行に設けられている。尚、ガイド溝２０Ａ，２０Ｂは設けないことも可能である。
【００３３】
ガイド溝１９Ａ，１９Ｂは、第二の踏み板２，４，５の曲面２１に設けられ、ガイド溝２０Ａ，２０Ｂは第二の踏み板２，４，５の凹面２１に設けられている。ガイド溝１９Ａ，１９Ｂ，２０Ａ，２０Ｂは、その表面の中央部がどの位置においてもボルト１８をジョイントナット１７の雌ねじ部１７０に合致させることができるように帯状の開口２５が形成されている。また、踏み板２（又は踏み板４，５）にはジョイントナット１７の雌ねじ部１７０の位置に合致させて少なくとも踏み板１（又は踏み板３）のそれぞれの横幅より小さい距離の２箇所にボルト挿入穴２６が設けられている。
【００３４】
図１０に示す構成において、踏み板１と踏み板２とを組み付ける手順について説明する。まず、第一の踏み板１と第二の踏み板２を所望の角度になるように配置し、図１０に示すように、ジョイントナット１７を第二の踏み板２のガイド溝１９Ａ，１９Ｂに対し、その端部から水平にスライドさせるようにして嵌入し、その雌ねじ部１７０が第二の踏み板２のボルト挿入穴２６に合致するまで水平移動させる。次に、第二の踏み板２の内側（図１０の右側）からボルト１８をボルト挿入穴２６に挿入するとともに雌ねじ部１７０にねじ込む。これにより、第一の踏み板１と第二の踏み板２が結合（連結）される。踏み板３と踏み板４（または、踏み板３と踏み板５）の結合（連結）も上記した２つの踏み板の結合手順と同様にして行うことができる。
【００３５】
第五の実施形態に係る通路の屈曲構造によれば、二つの踏み板（踏み板１と踏み板２、踏み板３と踏み板４、または踏み板３と踏み板５）の結合（連結）をジョイントナット１７とボルト１８によって行うようにしたため、ボルト挿入穴２６を増設することによって二つの踏み板の取付角度を９０°以外の角度に小刻みに設定することができるとともに強固に結合（連結）することができるという効果がある。
【００３６】
なお、第五の実施形態において、ジョイントナット１７及びボルト１８の取り付けは、図１０に示す構成とは逆に、ジョイントナット１７を第一の踏み板１のガイド溝２０Ａ，２０Ｂに装着し、ボルト１８を第二の踏み板２側に装着する構成にしてもよい。この場合、第二の踏み板２にボルト挿入穴２６が設けられている必要がある。
【００３７】
なお、上記各実施形態においては、通行路が二つの場合について説明したが、通路が三つ以上であってもよい。また、上記各実施形態に示した屈曲構造及びスロープの組み合わせが複数設けられていてもよい。
【００３８】
また、上記各実施形態においては、第一のスロープ３１に対して第二のスロープ３２の通行方向を変える例を示したが、逆の関係であってもよい。
【００３９】
また、上記各実施形態において、踏み板１〜５は、上面に滑り止め加工や滑り止め用のゴムシートの貼付等が施されていてもよい。また、踏み板１〜５はステンレス、アルミニウム等の金属板製としたが、強度が確保される厚み等を確保できさえすれば、樹脂製であってもよい。
【００４０】
以上のように、好ましい各実施形態について説明したが、本発明に係る各踏み板を備えた通路の屈曲構造は、屋内外を問わず、また、後付けであるか否かを問わず、案内路、仮設路、仮設階段、誘導路、歩行路等に設置される各種の通路の全般に採用可能である。
【符号の説明】
【００４１】
１      第一の踏み板
２      第二の踏み板
３      踏み板（第一の踏み板）
４      踏み板（第二の踏み板）
５      踏み板（第三の踏み板）
６      踏み板（第一の踏み板）
７      踏み板（第二の踏み板）
８      第一の踏み板
９      第二の踏み板
１０    第三の踏み板
１１    平行面
１２    曲面
１３    屈曲片
１４    雌ねじ部
１５    凹面
１６    凹面
１７    ジョイントナット
１８    ボルト
１９Ａ    ガイド溝
１９Ｂ    ガイド溝
２０Ａ    ガイド溝
２０Ｂ    ガイド溝
２１    凹面
２２    平行面
２３    屈曲片
２４    ネジ孔
２５      開口
２６      ボルト挿入穴
３１    第一のスロープ
３２    第二のスロープ
６１    曲面
７１    凹面
１００  通路の屈曲構造
１７０  雌ねじ部
【図１】
2012046869.tif 000003
【図２】
2012046869.tif 000004
【図３】
2012046869.tif 000005
【図４】
2012046869.tif 000006
【図５】
2012046869.tif 000007
【図６】
2012046869.tif 000008
【図７】
2012046869.tif 000009
【図８】
2012046869.tif 000010
【図９】
2012046869.tif 000011
【図１０】
2012046869.tif 000012
【図１１】
2012046869.tif 000013